(57)【要約】【課題】情報機器操作に不慣れなユーザであっても、簡単かつ確実に電子証明書をダウンロードすることができる。【解決手段】端末装置１ｉが証明書要求を証明書発行サイトＳ１に送信すると、証明書発行装置２は、パスワード認証の後、ＰＫＣＳ＃１２形式の証明書ファイルを端末装置１ｉに送信する。ここで、証明書ファイルは、電子証明書（クライアント証明書）の他、端末装置１ｉにおいてダウンロードが成功した場合にアクセスするＵＲＬ（ｔ−ＵＲＬ）と、失敗した場合にアクセスするＵＲＬ（ｆ−ＵＲＬ）に関する情報を含んでいる。端末装置１ｉは、証明書ファイルのダウンロード結果に応じて、ｔ−ＵＲＬ又はｆ−ＵＲＬにアクセスするので、証明書発行装置２は、該ダウンロード結果に応じた次の処理に自動的に移行する。【選択図】図２
2006067515.tif 000002
【特許請求の範囲】
【請求項１】
通信ネットワークを介して接続された端末装置に電子証明書を発行する電子証明書発行装置であって、
前記端末装置から電子証明書発行の要求を受信する要求受信手段と、
前記電子証明書に加えて、前記端末装置への前記電子証明書の導入処理が成功したときに通知する第１のアドレスと、失敗したときに通知する第２のアドレスを備えた導入成否情報を含む証明書ファイルを作成する証明書ファイル作成手段と、
前記証明書ファイルを前記端末装置に送信する証明書ファイル送信手段と、
前記端末装置が前記第１のアドレスにアクセスしたときは、前記端末装置に前記電子証明書の送信を要求し、該電子証明書を取得する成功通知受信手段と、
取得した電子証明書の正当性を確認し、正当性が確認されたときは、前記端末装置に証明書導入完了画面を表示させる証明書確認手段と、
前記端末装置が前記第２のアドレスにアクセスしたとき、又は、前記電子証明書の正当性が確認されないときは、前記端末装置に証明書導入未完了画面を表示させる失敗通知受信手段と、
を有することを特徴とする電子証明書発行装置。
【請求項２】
前記要求受信手段は、前記端末装置にパスワード認証を要求し、前記端末装置から送信されたパスワードに従ってパスワード認証を行うパスワード認証手段を有し、
前記失敗通知受信手段は、前記パスワード認証手段に移行可能な証明書導入未完了画面を表示させることを特徴とする請求項１記載の電子証明書発行装置。
【請求項３】
通信ネットワークを介して接続された端末装置に電子証明書を発行する電子証明書発行方法であって、
前記端末装置から電子証明書発行の要求を受信する要求受信ステップと、
前記電子証明書に加えて、前記端末装置への前記電子証明書の導入処理が成功したときに通知する第１のアドレスと、失敗したときに通知する第２のアドレスを備えた導入成否情報を含む証明書ファイルを作成する証明書ファイル作成ステップと、
前記証明書ファイルを前記端末装置に送信する証明書ファイル送信ステップと、
前記端末装置が前記第１のアドレスにアクセスしたときは、前記端末装置に前記電子証明書の送信を要求し、該電子証明書を取得する成功通知受信ステップと、
取得した電子証明書の正当性を確認し、正当性が確認されたときは、前記端末装置に証明書導入完了画面を表示させる証明書確認ステップと、
前記端末装置が前記第２のアドレスにアクセスしたとき、又は、前記電子証明書の正当性が確認されないときは、前記端末装置に証明書導入未完了画面を表示させる失敗通知受信ステップと、
を有することを特徴とする電子証明書発行方法。
【請求項４】
通信ネットワークを介して接続された端末装置に電子証明書を発行するためのコンピュータが読み取り可能な電子証明書発行プログラムであって、
前記端末装置から電子証明書発行の要求を受信する要求受信ステップと、
前記電子証明書に加えて、前記端末装置への前記電子証明書の導入処理が成功したときに通知する第１のアドレスと、失敗したときに通知する第２のアドレスを備えた導入成否情報を含む証明書ファイルを作成する証明書ファイル作成ステップと、
前記証明書ファイルを前記端末装置に送信する証明書ファイル送信ステップと、
前記端末装置が前記第１のアドレスにアクセスしたときは、前記端末装置に前記電子証明書の送信を要求し、該電子証明書を取得する成功通知受信ステップと、
取得した電子証明書の正当性を確認し、正当性が確認されたときは、前記端末装置に証明書導入完了画面を表示させる証明書確認ステップと、
前記端末装置が前記第２のアドレスにアクセスしたとき、又は、前記電子証明書の正当性が確認されないときは、前記端末装置に証明書導入未完了画面を表示させる失敗通知受信ステップと、
を前記コンピュータに実行させることを特徴とする電子証明書発行プログラム。
【請求項５】
前記要求受信ステップは、前記端末装置にパスワード認証を要求し、前記端末装置から送信されたパスワードに従ってパスワード認証を行うパスワード認証ステップを有し、
前記失敗通知受信ステップは、前記パスワード認証ステップに移行可能な証明書導入未完了画面を表示させることを特徴とする請求項４記載の電子証明書発行プログラム。
【請求項６】
通信ネットワークを介して接続された電子証明書発行装置から発行された電子証明書をダウンロードする端末装置が読み取り可能な電子証明書ダウンロードプログラムであって、
前記電子証明書の証明書発行要求を前記電子証明書発行装置に送信する要求送信ステップと、
前記前記電子証明書発行装置から、前記電子証明書に加えて、前記端末装置への前記電子証明書の導入処理が成功したときに通知する第１のアドレスと、失敗したときに通知する第２のアドレスを備えた導入成否情報を含む証明書ファイルを受信する証明書ファイル受信ステップと、
前記証明書ファイルの導入検証を行う検証ステップと、
前記導入検証に成功したときは、前記第１のアドレスにアクセスするとともに、前記電子証明書を送信する成功通知ステップと、
前記電子証明書発行装置により、送信した電子証明書の正当性が確認されたときは、証明書導入完了画面を表示する第１の画面表示ステップと、
前記導入検証に失敗したときは、前記第２のアドレスにアクセスする失敗通知ステップと、
前記導入検証に失敗したとき、又は、前記電子証明書の正当性が確認されないときは、証明書導入未完了画面を表示する第２の画面表示ステップと、
を前記端末装置に実行させることを特徴とする電子証明書ダウンロードプログラム。
【請求項７】
前記要求送信ステップは、パスワード認証を行う前記電子証明書発行装置にパスワードを送信するパスワード送信ステップを有し、
前記第２の画面表示ステップは、前記パスワード送信ステップに移行可能な証明書導入未完了画面を表示することを特徴とする請求項６記載の電子証明書ダウンロードプログラム。
【請求項８】
前記検証ステップは、前記証明書ファイルが復号できるか否か、及び前記証明書ファイルが予め定められた形式に準拠しているか否かを検証することを特徴とする請求項６又は７記載の電子証明書ダウンロードプログラム。
【発明の詳細な説明】
【技術分野】
【０００１】
本発明は、端末機器が通信ネットワークを介して電子証明書をダウンロードする技術に関し、特に、情報家電が電子証明書をダウンロードする際に好適に適用できる技術である。
【背景技術】
【０００２】
昨今、インターネットなどのネットワークに接続できる通信機能を備えた家電製品（テレビ、冷蔵庫、エアコンなど）、いわゆる情報家電が普及しつつある。
【０００３】
情報家電は、ネットワークを介して各種サービスの提供を受けることが可能であるが、各種サービスの提供を受けるに際して、当該サービス提供サイトとの認証の自動化のため、電子証明書を使用する機会が多くなると想定される。一般に、パソコンなどのユーザに対しては、このような場合には、サービス提供サイトは、端末ブラウザに対して証明書ダウンロードサイトまで誘導し、その後、ユーザはブラウザに表示された指示とブラウザが提供する証明書ダウンロードウィザードに従って、ダウンロードを実施する。
【０００４】
図５は、パソコン等の端末装置９で電子証明書（クライアント証明書；ユーザのインターネット上における身分証明書）を証明書発行サイトＳ１からダウンロードする場合の処理フローの一例を示す図である。尚、電子証明書の証明書ファイルはＰＫＣＳ＃１２（Public Key Cryptography Standards 12）の形式による。
【０００５】
まず、証明書発行サイトＳ１は、端末装置９からの証明書要求を受けて、証明書ファイルを送信する（ステップＳ９００）。
【０００６】
次に、端末装置９のユーザは、ブラウザソフト上に表示された、ファイルをダウンロードするかどうかの指示に対して判断をし、ダウンロードする場合には、インポートするファイルの確認をし、パスワードを入力する（ステップＳ９１０，Ｓ９２０，Ｓ９３０）。尚、パスワードは事前に証明書発行サイトＳ１から取得しているものである。
【０００７】
次に、端末装置９のユーザは、ブラウザソフト上に表示された電子証明書のストア場所の確認をし、電子証明書のダウンロードが完了すると、ブラウザソフト上には電子証明書ダウンロード完了の表示がされる（ステップＳ９４０，Ｓ９５０）。
【０００８】
尚、上記ステップＳ９００〜Ｓ９５０により、電子証明書が端末装置９に確かにダウンロードされたが、この電子証明書が有効か否かは、電子証明書を必要とするサービス提供サイトにアクセスして、初めて確認できるものであるから、電子証明書の有効性を確認するときは、電子証明書を必要とする所定のサービス提供サイトへアクセスし、クライアント認証（取得したクライアント証明書を端末装置９から送信する）をする必要がある（ステップＳ９６０，Ｓ９７０）。
【０００９】
尚、この出願に関連する先行技術文献情報としては、次のものがある。
【非特許文献１】“クライアント証明書(PKCS#12)のインストール(IE5.5)”、［online］、２００１年１１月６日、独立行政法人情報処理推進機構、［平成１６年８月２０日検索］、インターネット＜URL：https://www.ipa.go.jp/about/densinsei/tejun/root/pdf/eipa-clientca-ie-1.2＞
【発明の開示】
【発明が解決しようとする課題】
【００１０】
しかしながら、上述した図５に示す電子証明書のダウンロードに関する処理フローを情報家電のユーザに適用するのは困難である。なぜなら、上述した処理フローは、パソコンの入力手段（例えば、キーボードなど）や表示手段（ディスプレイなど）のような操作性が具備される場合に最適なダウンロード方法であるとともに、情報家電のユーザには、情報機器の操作に不慣れな者も含まれると考えられるからである。特に、何らかのエラーでダウンロードに失敗した場合、情報家電のユーザに再度、手動でエラーに対応させるのは困難であると考えられる。
【００１１】
本発明は、上記の事情を鑑みてなされたものであり、情報機器操作に不慣れなユーザであっても、簡単かつ確実に電子証明書をダウンロードすることができる電子証明書発行装置、電子証明書発行方法、電子証明書発行プログラム、及び電子証明書ダウンロードプログラムを提供することを目的とする。
【課題を解決するための手段】
【００１２】
上記目的を達成するため、請求項１記載の本発明は、通信ネットワークを介して接続された端末装置に電子証明書を発行する電子証明書発行装置であって、前記端末装置から電子証明書発行の要求を受信する要求受信手段と、前記電子証明書に加えて、前記端末装置への前記電子証明書の導入処理が成功したときに通知する第１のアドレスと、失敗したときに通知する第２のアドレスを備えた導入成否情報を含む証明書ファイルを作成する証明書ファイル作成手段と、前記証明書ファイルを前記端末装置に送信する証明書ファイル送信手段と、前記端末装置が前記第１のアドレスにアクセスしたときは、前記端末装置に前記電子証明書の送信を要求し、該電子証明書を取得する成功通知受信手段と、取得した電子証明書の正当性を確認し、正当性が確認されたときは、前記端末装置に証明書導入完了画面を表示させる証明書確認手段と、前記端末装置が前記第２のアドレスにアクセスしたとき、又は、前記電子証明書の正当性が確認されないときは、前記端末装置に証明書導入未完了画面を表示させる失敗通知受信手段と、を有することを特徴とする。
【００１３】
請求項２記載の本発明は、請求項１記載の発明において、前記要求受信手段は、前記端末装置にパスワード認証を要求し、前記端末装置から送信されたパスワードに従ってパスワード認証を行うパスワード認証手段を有し、前記失敗通知受信手段は、前記パスワード認証手段に移行可能な証明書導入未完了画面を表示させることを特徴とする。
【００１４】
請求項３記載の本発明は、通信ネットワークを介して接続された端末装置に電子証明書を発行する電子証明書発行方法であって、前記端末装置から電子証明書発行の要求を受信する要求受信ステップと、前記電子証明書に加えて、前記端末装置への前記電子証明書の導入処理が成功したときに通知する第１のアドレスと、失敗したときに通知する第２のアドレスを備えた導入成否情報を含む証明書ファイルを作成する証明書ファイル作成ステップと、前記証明書ファイルを前記端末装置に送信する証明書ファイル送信ステップと、前記端末装置が前記第１のアドレスにアクセスしたときは、前記端末装置に前記電子証明書の送信を要求し、該電子証明書を取得する成功通知受信ステップと、取得した電子証明書の正当性を確認し、正当性が確認されたときは、前記端末装置に証明書導入完了画面を表示させる証明書確認ステップと、前記端末装置が前記第２のアドレスにアクセスしたとき、又は、前記電子証明書の正当性が確認されないときは、前記端末装置に証明書導入未完了画面を表示させる失敗通知受信ステップと、を有することを特徴とする。
【００１５】
請求項４記載の本発明は、通信ネットワークを介して接続された端末装置に電子証明書を発行するためのコンピュータが読み取り可能な電子証明書発行プログラムであって、前記端末装置から電子証明書発行の要求を受信する要求受信ステップと、前記電子証明書に加えて、前記端末装置への前記電子証明書の導入処理が成功したときに通知する第１のアドレスと、失敗したときに通知する第２のアドレスを備えた導入成否情報を含む証明書ファイルを作成する証明書ファイル作成ステップと、前記証明書ファイルを前記端末装置に送信する証明書ファイル送信ステップと、前記端末装置が前記第１のアドレスにアクセスしたときは、前記端末装置に前記電子証明書の送信を要求し、該電子証明書を取得する成功通知受信ステップと、取得した電子証明書の正当性を確認し、正当性が確認されたときは、前記端末装置に証明書導入完了画面を表示させる証明書確認ステップと、前記端末装置が前記第２のアドレスにアクセスしたとき、又は、前記電子証明書の正当性が確認されないときは、前記端末装置に証明書導入未完了画面を表示させる失敗通知受信ステップと、を前記コンピュータに実行させることを特徴とする。
【００１６】
請求項５記載の本発明は、請求項４記載の発明において、前記要求受信ステップは、前記端末装置にパスワード認証を要求し、前記端末装置から送信されたパスワードに従ってパスワード認証を行うパスワード認証ステップを有し、前記失敗通知受信ステップは、前記パスワード認証ステップに移行可能な証明書導入未完了画面を表示させることを特徴とする。
【００１７】
請求項６記載の本発明は、通信ネットワークを介して接続された電子証明書発行装置から発行された電子証明書をダウンロードする端末装置が読み取り可能な電子証明書ダウンロードプログラムであって、前記電子証明書の証明書発行要求を前記電子証明書発行装置に送信する要求送信ステップと、前記前記電子証明書発行装置から、前記電子証明書に加えて、前記端末装置への前記電子証明書の導入処理が成功したときに通知する第１のアドレスと、失敗したときに通知する第２のアドレスを備えた導入成否情報を含む証明書ファイルを受信する証明書ファイル受信ステップと、前記証明書ファイルの導入検証を行う検証ステップと、前記導入検証に成功したときは、前記第１のアドレスにアクセスするとともに、前記電子証明書を送信する成功通知ステップと、前記電子証明書発行装置により、送信した電子証明書の正当性が確認されたときは、証明書導入完了画面を表示する第１の画面表示ステップと、前記導入検証に失敗したときは、前記第２のアドレスにアクセスする失敗通知ステップと、前記導入検証に失敗したとき、又は、前記電子証明書の正当性が確認されないときは、証明書導入未完了画面を表示する第２の画面表示ステップと、
を前記端末装置に実行させることを特徴とする。
【００１８】
請求項７記載の本発明は、請求項６記載の発明において、前記要求送信ステップは、パスワード認証を行う前記電子証明書発行装置にパスワードを送信するパスワード送信ステップを有し、前記第２の画面表示ステップは、前記パスワード送信ステップに移行可能な証明書導入未完了画面を表示することを特徴とする。
【００１９】
請求項８記載の本発明は、請求項６又は７記載の発明において、前記検証ステップは、前記証明書ファイルが復号できるか否か、及び前記証明書ファイルが予め定められた形式に準拠しているか否かを検証することを特徴とする。
【発明の効果】
【００２０】
本発明によれば、電子証明書をダウンロードする証明書ファイルにダウンロードが成功したときのアドレスと失敗したときのアドレスとを備えており、端末装置はダウンロードの成否に応じてそれぞれのアドレスにアクセスするので、電子証明書発行装置は、ダウンロード結果を把握でき、該ダウンロード結果に応じた次の処理に自動的に移行することができる。即ち、ダウンロードに成功したときは、電子証明書の正当性まで確認して、証明書導入完了画面を表示し、ダウンロードに失敗したときは、証明書導入未完了画面を表示する。
【００２１】
この結果、情報機器操作に不慣れなユーザであっても、電子証明書をダウンロードする際の細かな手順を意識することなく、簡単かつ確実に電子証明書をダウンロードすることができる。
【発明を実施するための最良の形態】
【００２２】
以下、本発明の実施の形態を図面を用いて説明する。
【００２３】
図１は、本発明の実施の形態に係る電子証明書発行システム１０の概略構成図である。図１に示す電子証明書発行システム１０は、情報家電などの端末装置１ｉ（ｉ＝ａ，ｂ，…，ｎ）、証明書発行サイトＳ１に存在し、電子証明書（クライアント証明書）を端末装置１ｉに発行する証明書発行装置２、並びに、端末装置１ｉ及び証明書発行装置２を相互に接続する、例えば、インターネット網などの通信ネットワーク３を備えている。
【００２４】
端末装置１ｉは、通信ネットワーク３を介して他の装置と通信を行う通信部１１、端末装置１ｉのユーザが指示する情報を入力する入力部１２、端末装置１ｉで処理された情報を表示する表示部１３、電子証明書を証明書発行装置２からダウンロードする電子証明書取得部１４、制御対象となる機器本体部（例えば、テレビの場合には、テレビ本来の映像信号受信および表示機能に関するハードウェア及びソフトウェア）１５、及び記憶部１６を具備する構成である。
【００２５】
電子証明書発行装置２は、通信ネットワーク３を介して端末装置１ｉと通信を行う通信部２１、端末装置１ｉから電子証明書発行要求に応えて電子証明書を発行する証明書発行部２２、電子証明書のダウンロードの結果を確認する結果確認部２３、及び記憶部２４を具備する構成である。
【００２６】
尚、上述した各装置は、具体的には、少なくとも演算機能および制御機能を備えた中央演算装置（ＣＰＵ）、プログラムやデータを格納する機能を有するＲＡＭ等からなる主記憶装置（メモリ）を有する電子的な装置から構成されているものである。また上述した各装置は、主記憶装置の他、ハードディスクなどの補助記憶装置を具備していてもよい。
【００２７】
また、本実施の形態に係る各種処理を実行するプログラムは、前述した主記憶装置またはハードディスクに格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００２８】
次に、図２を用いて、本実施の形態に係る電子証明書発行システム１０の動作を説明する。ここで、図２は、電子証明書発行システム１０の全体に係る動作を示すシーケンス図である。
【００２９】
まず、端末装置１ｉは、証明書取得要求を証明書発行サイトＳ１の証明書発行装置２に送信する（ステップＳ１０）。これにより、端末装置１ｉと証明書発行装置２間のデータのやりとりはＳＳＬで暗号化される（ステップＳ２０）。
【００３０】
次に、証明書発行装置２は、端末装置１ｉにパスワード入力画面を送信すると、端末装置１ｉは、表示部１３を介してパスワード入力画面を表示するので、ユーザは、パスワードを入力し、パスワードを電子証明書発行装置２に送信する（ステップＳ３０，Ｓ４０，Ｓ５０）。尚、パスワードは、事前に証明書発行サイトＳ１から、オンラインもしくはオフライン（例えば、郵便等の手段）による手段で取得する。
【００３１】
次に、証明書発行装置２は、送信されたパスワードと記憶部２４に予め記憶されたパスワードが一致するか否かによるパスワード認証を行い、パスワード認証に成功すると、ＰＫＣＳ＃１２形式の証明書ファイルを端末装置１ｉに送信する（ステップＳ６０，Ｓ７０，Ｓ８０）。ここで、証明書ファイルは、電子証明書（クライアント証明書）の他、端末装置１ｉにおいてダウンロードが成功した場合にアクセスするＵＲＬ（以下、ｔ−ＵＲＬという）と、失敗した場合にアクセスするＵＲＬ（以下、ｆ−ＵＲＬという）に関する情報を含んでいる。尚、ステップＳ７０のパスワード認証に失敗したときは、以後の処理を行わない。
【００３２】
次に、端末装置１ｉは、送信された証明書ファイルを自動展開し、自動展開が成功するか否かを検証する（ステップＳ９０，Ｓ１００）。ここで、このステップＳ９０及びＳ１００を図３を参照して詳しく説明する。
【００３３】
まず、端末装置１ｉは、証明書ファイルのＨＴＴＰヘッダを確認し、ＭＩＭＥ  Ｔｙｐｅが指定の値になっているか否かを検証する（ステップＳ９１，Ｓ９２）。ＭＩＭＥ  Ｔｙｐｅとは、図４に示すように、ＨＴＴＰのメッセージヘッダフィールドに含まれ、ボディファイルの種類を識別するために使用されるものである。本実施の形態においては、このＭＩＭＥ  Ｔｙｐｅを端末装置１ｉのブラウザソフトが識別して電子証明書のインストールの自動処理を行うか否かを判断するものである。尚、ＭＩＭＥ  Ｔｙｐｅが指定の値でないときは、本発明の対象外であるので、通常の電子証明書取得のフローに従って処理される（ステップＳ９６）。
【００３４】
次いで、ＭＩＭＥ  Ｔｙｐｅが指定の値であるときは、端末装置１ｉは、証明書ファイルのＨＴＴＰヘッダから上述したｔ−ＵＲＬ及びｆ−ＵＲＬを抽出し、証明書ファイルをＰＫＣＳ＃１２形式で規定している解凍シーケンスに従って解凍し、解凍した証明書ファイルを指定フォルダに保存する（ステップＳ９３，Ｓ９４）。ここで、解凍しようとしたときに、規定以外のファイルフォーマットとなっているときなどは、ＰＫＣＳファイルの解凍に失敗したと判断する。
【００３５】
また、保存された証明書ファイルのフォーマットが証明書のフォーマットに準拠したものであることを確認する（ステップＳ９５）。ここで、証明書ファイルからクライアント証明書、秘密鍵、ルート証明書などを個々に分離しようとしたときに、証明書のフォーマットに異常があり、分離できない場合や、証明書ファイルからクライアント証明書を取り出した後、証明書のフォーマットを確認する過程で、証明書の必須項目に記載されるべき事項が記入されていない、又は誤っている場合や、証明書の認証局による署名の確認において、正しく署名されていないことが判明した場合などは、証明書ファイルのフォーマットが異常であると判断する。
【００３６】
そして、ステップＳ９４及びＳ９５の検証において電子証明書が正常であると判断したときは、端末装置１ｉは、ｔ−ＵＲＬにアクセスし、電子証明書が正常でないと判断したときは、端末装置１ｉは、ｆ−ＵＲＬにアクセスする（ステップＳ１００，Ｓ１０１，Ｓ１１０，Ｓ１５１，Ｓ１６０）。
【００３７】
次に、図２に戻って、端末装置１ｉが、ｔ−ＵＲＬにアクセスしたときは、電子証明書発行装置２は、電子証明書の正当性を確認するため、電子証明書の送信を端末装置１ｉに要求し、端末装置１ｉは、この要求に応えて、電子証明書を電子証明書発行装置２に送信する（ステップＳ１２０）。
【００３８】
次に、電子証明書発行装置２は、受け取った電子証明書の正当性を検証し、検証に成功したときは、証明書インストール完了確認画面を端末装置１ｉに送信する（ステップＳ１３０，Ｓ１４０，Ｓ１５０）。
【００３９】
一方、端末装置１ｉが、ｆ−ＵＲＬにアクセスしたとき、又はステップＳ１４０において電子証明書の正当性の検証に失敗したときは、電子証明書発行装置２は、設定未完了通知画面を端末装置１ｉに送信する（ステップＳ１７０）。
【００４０】
これにより、端末装置１ｉは、表示部１３を介して証明書インストール完了確認画面又は設定未完了通知画面を表示するので、ユーザは、電子証明書のダウンロードの成否を確認することができる。また、電子証明書のダウンロードに成功したときには、単にダウンロードに成功しただけでなく、電子証明書の正当性の検証まで終わっているので、以後、確実にサービスサイトでの使用が保証される。また、電子証明書のダウンロードに失敗した場合においても、設定未完了通知画面は、パスワード入力画面に移行可能な表示としているので、簡単な操作で、再度、電子証明書のダウンロードを実行することができる。
【００４１】
従って、本実施の形態の電子証明書発行システム１０によれば、電子証明書をダウンロードする際の証明書ファイルにダウンロードが成功したときのアドレスと失敗したときのアドレスとを備えており、端末装置１ｉはダウンロードの成否に応じてそれぞれのアドレスにアクセスするので、電子証明書発行装置２は、ダウンロード結果を把握でき、該ダウンロード結果に応じた次の処理に自動的に移行することができる。即ち、ダウンロードに成功したときは、電子証明書の正当性の検証まで行って、証明書インストール完了確認画面を表示し、一方、ダウンロードに失敗したときは、パスワード再入力に移行可能な設定未完了通知画面を表示する。
【００４２】
この結果、情報機器操作に不慣れなユーザが、例えば、情報家電に電子証明書をダウンロードするような場合であっても、電子証明書をダウンロードする際の細かな手順を意識することなく、簡単かつ確実に電子証明書をダウンロードすることができる。
【図面の簡単な説明】
【００４３】
【図１】本発明の実施の形態に係る電子証明書発行システムの概略構成図である。
【図２】本発明の実施の形態に係る電子証明書発行システムの動作を説明するシーケンス図である。
【図３】図２のステップＳ９０及びＳ１００を詳しく説明するシーケンス図である。
【図４】証明書ファイルのヘッダを説明する図である。
【図５】パソコンなどの端末装置で電子証明書をダウンロードする処理を示す説明するシーケンス図である。
【符号の説明】
【００４４】
１ｉ，９  端末装置
２  電子証明書発行装置
３  通信ネットワーク
１０  電子証明書発行システム
１１，２１  通信部
１２  入力部
１３  表示部
１４  証明書取得部
１５  機器本体部
１６，２４  記憶部
２２  証明書発行部
２３  結果確認部
Ｓ１  証明書発行サイト
【図１】
2006067515.tif 000003
【図２】
2006067515.tif 000004
【図３】
2006067515.tif 000005
【図４】
2006067515.tif 000006
【図５】
2006067515.tif 000007